(57)【要約】【課題】不使用時の手持ち式スリットランプの直立状態を転倒させることなく、安定に保持固定することができる台座の提供。【解決手段】台座の一方の端部側上部に、手持ち式スリットランプの基底部の一部を挿入するための開口部を有するホルダー部を備えていることを特徴とする手持ち式スリットランプ用台座。【選択図】図１
2015047496.tif 000002
【特許請求の範囲】
【請求項１】
台座の一方の端部側上部に、手持ち式スリットランプの基底部の一部を挿入するための開口部を有するホルダー部を備えていることを特徴とする手持ち式スリットランプ用台座。
【請求項２】
前記スリットランプの基底部が、スリットランプの観察光学部の下部に略Ｌ字状に連結された第１基底アームと、スリットランプの照明光学部の下部に略Ｌ字状に連結され、かつ当該第１基底アーム上に載置された状態で、その自由端部において第１基底アームに対して旋回動可能に軸着された第２基底アームと、から成ることを特徴とする請求項１記載の手持ち式スリットランプ用台座。
【請求項３】
前記台座が、台座の他方の端部からホルダー部の内奥部に至る下降傾斜座面を有していることを特徴とする請求項１又は２記載の手持ち式スリットランプ用台座。
【請求項４】
前記下降傾斜座面の仰角が３〜１０°であることを特徴とする請求項３記載の手持ち式スリットランプ用台座。
【請求項５】
前記ホルダー部が、下降傾斜座面と；当該下降傾斜座面の外周縁に形成され、かつスリットランプの第１基底アームとは係止するが、スリットランプの第２基底アームとは係止しない壁高を有する第１側壁と；当該第１側壁の上部に形成され、かつスリットランプの第２基底アームの厚さを超える壁高を有すると共に、当該第２基底アームの所定角度での旋回動を可能ならしめる壁長を有する第２側壁と；当該第２側壁の上部に形成された天壁とから構成されていることを特徴とする請求項２〜４の何れか１項記載の手持ち式スリットランプ用台座。
【請求項６】
前記第１側壁が、台座の他方の端部側に向って徐々に壁高が低くなり、最終的には当該端部の手前において消失するように、ホルダー部以外にも延設されていることを特徴とする請求項５記載の手持ち式スリットランプ用台座。
【請求項７】
前記天壁が、開口部２０ａから台座の他方の端部側に突出する庇部を有していることを特徴とする請求項５又は６記載の手持ち式スリットランプ用台座。
【請求項８】
前記台座が、前記スリットランプより重量のある金属底板を有していることを特徴とする請求項１〜７の何れか１項記載の手持ち式スリットランプ用台座。
【請求項９】
前記台座が、ゴム製脚部を有していることを特徴とする請求項１〜８の何れか１項記載の手持ち式スリットランプ用台座。
【発明の詳細な説明】
【技術分野】
【０００１】
本発明は、不使用時に手持ち式スリットランプを転倒させることなく、安定に保持固定することができる台座に関する。
【背景技術】
【０００２】
前眼部観察装置の一種である手持ち式スリットランプは、基底部と、当該基底部に連結固定されたグリップ部を有する観察光学部並びに照明光学部と云うほぼ直立した２本の筒状体とを主たる構成部材としている（例えば、特許文献１参照）ため、不安定で不使用時に転倒し易いと云う問題があった。
これを解消すべく、大きな面積や重量のある基底部を形成することも考えられるが、斯かる構成とした場合には、その基底部の大きさや重量のため、手持ち操作に支障があり、本来小サイズと軽量が要求される手持ち式スリットランプとしては甚だ実用性に欠けてしまうのが実状であった。
また、充電器を事実上不使用時の置き台として用いる例もあるが、単なる充電器では手持ち式スリットランプの直立状態の保持安定性に欠け、僅かな振動や接触で転倒してしまうのが実状であった。
【先行技術文献】
【特許文献】
【０００３】
【特許文献１】特許第４１３６６２０号公報
【発明の概要】
【発明が解決しようとする課題】
【０００４】
本発明は、上記の如き従来の問題と実状に鑑みてなされたものであり、不使用時の手持ち式スリットランプの直立状態を転倒させることなく、安定に保持固定することができる台座を提供することを課題としている。
【課題を解決するための手段】
【０００５】
本発明者は、上記の課題を解決すべく、種々検討を重ねた結果、台座に手持ち式スリットランプの基底部の一部を挿入保持するホルダーを設ければ、極めて良い結果が得られることを見い出し、本発明を完成した。
【０００６】
すなわち、本発明は、台座の一方の端部側上部に、手持ち式スリットランプの基底部の一部を挿入するための開口部を有するホルダー部を備えていることを特徴とする手持ち式スリットランプ用台座により上記課題を解決したものである。
【発明の効果】
【０００７】
本発明によれば、ホルダー部に挿入された手持ち式スリットランプの基底部の一部は、当該ホルダー部によって保持固定されているので、観察光学部と照明光学部の直立状態も安定に保持固定され、その転倒を防止することができる。
【図面の簡単な説明】
【０００８】
【図１】本発明台座の断面説明図。
【図２】本発明台座の斜視説明図。
【図３】本発明台座の側面説明図。
【図４】本発明台座の使用状態を示す概略断面説明図。
【図５】本発明台座の具体的一形態例の斜視図
【図６】本発明台座の具体的一形態例の正面図。
【図７】本発明台座の具体的一形態例の背面図。
【図８】本発明台座の具体的一形態例の平面図。
【図９】本発明台座の具体的一形態例の底面図。
【図１０】本発明台座の具体的一形態例の右側面図。
【図１１】本発明台座の具体的一形態例の左側面図。
【図１２】本発明台座の具体的一形態例の平面図におけるＡ−Ａ線断面図。
【発明を実施するための形態】
【０００９】
以下本発明の実施の形態を図面と共に説明する。
【００１０】
本発明の台座を示す図１〜３において、１０は台座で、その一方の端部１０ａ側上部にホルダー部２０が形成されている。このホルダー部２０は、その内部に手持ち式スリットランプの基底部の一部を挿入して保持固定するもので、台座１０の他方の端部１０ｂ側方向に向って挿入用の開口部２０ａが形成されている。
【００１１】
本発明の台座の使用例を示す図４において、５０は手持ち式スリットランプで、下部に筒状のグリップ部５１ａを有する観察光学部５１と、筒状の照明光学部５２と、板状の基底部５３とから構成されている。
基底部５３は、観察光学部５１の下部、換言すればグリップ部５１ａの下部に略Ｌ字状に連結固定された第１基底アーム５３ａと、照明光学部５２の下部に略Ｌ字状に連結固定された第２基底アーム５３ｂとから構成され、当該第２基底アーム５３ｂは、第１基底アーム５３ａ上に載置された状態で、その自由端部において第１基底アーム５３ａに、支軸５４を介して旋回動可能に軸着されている。
当該第１基底アーム５３ａと第２基底アーム５３ｂの支軸５４側の基底部部分が、基底部５３の一部として台座１０のホルダー部２０に挿入され、保持固定される。
【００１２】
図１及び図４に示されているように、台座１０の座面は、台座１０の他方の端部１０ｂからホルダー部２０の内奥部まで下降傾斜座面１１となっている。この下降傾斜座面１１の仰角としては３〜１０°が好ましい。この下降傾斜座面１１の存在により、スリットランプ５０の基底部５３の出入操作をよりスムースに行なうことができる。
【００１３】
また、台座１０の下底部には、スリットランプ５０より重量のある金属底板１２が配置されている。これにより、更に安定した保持固定力が得られるので、スリットランプ５０の転倒をより確実に防止することができる一方、スリットランプ５０自体の重量には何ら変化はない（軽量のまま）ので、その使用に支障が生じることはない。
【００１４】
更に、当該金属底板１２の下部には、ゴム製脚部１３が適宜数取り付けられている。これにより、台座１０の摺動が阻止されるので、より安定にスリットランプ５０を保持固定し得、台座１０からの脱離を防止することができる。
【００１５】
図１〜図３に示されているように、ホルダー部２０は、下降傾斜座面１１と、第１側壁２１と、第２側壁２２と、天壁２３とから構成されている。
【００１６】
第１側壁２１は、下降傾斜座面１１の外周縁に、スリットランプ５０の第１基底アーム５３ａとは係止するが、スリットランプ５０の第２基底アーム５３ｂとは係止しない壁高で形成されている。また、この第１側壁２１は、台座１０の他方の端部１０ｂ側に向って徐々に壁高が低くなり、最終的には当該端部１０ｂの手前で消失するように、ホルダー部２０以外にも延設されている。
斯かる第１側壁２１により、スリットランプ５０の第１基底アーム５３ａが、確実に係止保持されるので、横方向からの外力により台座１０から脱離することが防止されると共に、台座１０の他方の端部１０ｂ領域には第１側壁２１が存在しないので、スリットランプ５０の基底部５３の出入をスムースに行なうことができる。
【００１７】
第２側壁２２は、当該第１側壁の上部に、スリットランプ５０の第２基底アーム５３ｂの厚さを超える壁高で、かつ当該第２基底アーム５３ｂの所定角度での旋回動を可能ならしめる壁長で形成されている。この旋回動する所定角度としては６０°程度が好ましい。
斯かる第２側壁により、スリットランプ５０はその観察光学部５１と照明光学部５２との位置を所定の角度ズラして使用する必要があるところ、当該ズラした状態でスリットランプ５０を台座１０に保持固定させることができる。
【００１８】
天壁２３は、当該第２側壁２２の上部に、スリットランプ５０の第２基底アーム５３ｂの上面をカバーするように形成され、ホルダー部２０の開口部２０ａに臨ませて台座１０の他方の端部１０ｂ側に突出する庇部２３ａが設けられている。
斯かる天壁２３により、上記した第２基底アーム５３ｂの旋回動を確保しつつ、当該第２基底アーム５３ｂの上昇動が阻止されるので、より安定にスリットランプ５０を保持固定し得、台座１０からの脱離を防止することができる。
【００１９】
尚、上記した座面１１、第１側壁２１、第２側壁２２及び天壁２３の具体的な形状は、挿入保持されるスリットランプ５０の基底部５３、すなわち第１基底アーム５３ａと第２基底アーム５３ｂの形状に対応せしめて適宜選定される。
【００２０】
而して、上記の如き構成の台座１０のホルダー部２０に、図４に示されているように、不使用時のスリットランプ５０の基底部５３の一部、すなわち第１基底アーム５３ａと第２基底アーム５３ｂの支軸５４側を挿入載置すれば、当該挿入された基底部５３は、ホルダー部２０によって安定に保持固定されるので、それ自体は不安定なスリットランプ５０を直立状態で安定に保持することができる。また、その出入操作も極めて容易に行なうことができる。
【符号の説明】
【００２１】
１０：台座
１０ａ：一方の端部
１０ｂ：他方の端部
１１：下降傾斜座面
１２：金属底板
１３：ゴム製脚部
２０：ホルダー部
２０ａ：開口部
２１：第１側壁
２２：第２側壁
２３：天壁
５０：手持ち式スリットランプ
５１：観察光学部
５１ａ：グリップ部
５２：照明光学部
５３：基底部
５３ａ：第１基底アーム
５３ｂ：第２基底アーム
５４：支軸
【図１】
2015047496.tif 000003
【図２】
2015047496.tif 000004
【図３】
2015047496.tif 000005
【図４】
2015047496.tif 000006
【図５】
2015047496.tif 000007
【図６】
2015047496.tif 000008
【図７】
2015047496.tif 000009
【図８】
2015047496.tif 000010
【図９】
2015047496.tif 000011
【図１０】
2015047496.tif 000012
【図１１】
2015047496.tif 000013
【図１２】
2015047496.tif 000014